(57)【要約】      （修正有）【課題】弁体により流路を略全閉にした際に、弁体の流体流れ方向上流側の内部流体の圧力上昇が緩やかで、弁体よりも流体流れ方向上流側と下流側とで内部流体の圧力差が小さい場合でも、弁体を確実に弁座に対し着座し得るようにした仕切弁を提供する。【解決手段】弁体８と弁棒４の連結を、弁体８の外周部に設けられて流体流れ方向Ｄへ延在する溝１０を有するヨーク１１の当該溝１０内に弁棒４の端部に設けられた駒１２を嵌入することにより行なうようにした仕切弁であって、弁体８を弁棒４に吊下げた際のヨーク１１の係止部１１ａと駒１２の当接面を流体流れ方向Ｄ上流側から下流側に向けて下り勾配の傾斜面１１ａ’，１２ａ’とした。【選択図】図１
2007270905.tif 000002
【特許請求の範囲】
【請求項１】
弁体と弁棒の連結を、前記弁体の外周部に設けられて流体流れ方向へ延在する溝を有するヨークの当該溝内に前記弁棒に設けられた駒を嵌入することにより行なうようにした仕切弁であって、前記弁体を弁棒に吊下げた際の前記ヨークの係止部と駒との当接面を流体流れ方向上流側から下流側に向けて下り勾配の傾斜面としたことを特徴とする仕切弁。
【発明の詳細な説明】
【技術分野】
【０００１】
本発明は仕切弁に関するものである。
【背景技術】
【０００２】
給水配管系等には、従来から仕切弁が多用されており、該仕切弁の一例は図２〜図４に示されている。而して、図中、１は流体が流通する流路２が内部に形成された弁箱、３は弁箱１の上部に組付けられた弁蓋、４はモータ５の駆動又はハンドル６の操作により歯車箱７内に収納した歯車機構を介し昇降し得るようにした弁棒、８は弁棒４の下端に吊下げ支持されて昇降し、流体流路２を開閉し得るようにした弁体である。
【０００３】
弁体８の上部側には、流体流れ方向Ｄと平行な方向に蟻溝状の溝１０が延在する、フック状のヨーク１１が一体的に形成されている。又、弁棒４の下端に一体形成されている、弁棒４の径よりも幅及び長さの大きい駒１２は、ヨーク１１の溝１０に嵌入されている。而して、駒１２の水平な上面が、ヨーク１１における上端係止部１１ａの水平な下面に係止することにより、弁体８は弁棒４に吊下げられるようになっている。
【０００４】
弁体８の側面形状は、上部側から下部側へ行くに従い、流路２における流体流れ方向Ｄと平行な方向の長さが小さくなるよう、絞られた楔状に形成されており、弁体８が流路２を略全閉した状態では、弁体８の外周端部は、弁箱１の流路２外周側に形成された凹部１３内に位置すると共に、弁体８よりも流体流れ方向Ｄ上流側における高圧側１４の流路２の内部流体と、弁体８よりも流体流れ方向Ｄ下流側における低圧側１５の流路２の内部流体との圧力差により、弁体８は流体流れ方向Ｄ下流側へ押圧される。
【０００５】
このため、弁体８は、ヨーク１１を介し弁棒４の駒１２に対して流体流れ方向Ｄ下流側に移動し、弁体８の流体流れ方向Ｄ下流側の被シール面８ａが流路２の外周側に設けた弁座１６に対し着座することにより、流体の流れを遮断するようになっている。
【０００６】
仕切弁の先行技術文献としては特許文献１、２がある。而して、特許文献１、２の仕切弁は何れも、弁棒の下端に設けた駒が弁体のヨークに形成した溝に嵌入されてヨークの係止部に係止することにより、弁体は流体流れ方向と平行な方向へ移動可能に弁棒に吊下げられている。
【特許文献１】特開平７−２１７７５０号公報
【特許文献２】特開２００１−２４８７３７号公報
【発明の開示】
【発明が解決しようとする課題】
【０００７】
図２〜図４に示す仕切弁においては、弁体８が下降して流路２を略全閉にした場合、流路２の高圧側１４と低圧側１５との内部流体の圧力差が十分な場合は、弁体８は容易に流体流れ方向Ｄ下流側へ移動して被シール面８ａは、弁座１６に対し確りと着座する。このため、弁体８と弁座１６との当接部のシール性は十分確保されて、流路２内の流体は弁体８により確実に遮断され、弁体８全閉時の弁座漏れを防止することができる。
【０００８】
しかしながら、弁体８により流路２を閉止する際の弁体８上流側の内部流体の圧力上昇が緩やかな場合は、弁体８の流体流れ方向Ｄ上流側と下流側とで弁体８を弁座１６に着座させるための圧力差（動圧）を確保することが難しい。このため、弁体８は流体流れ方向Ｄ下流側への移動が困難で弁座１６に対し確りと着座することができず、従って、弁体８により流路２を閉止しても流体を確実に遮断することができず、弁座漏れを招来する虞がある。
【０００９】
これは、弁棒４と弁体８との連結部において、弁棒４の駒１２上面と、弁体８のヨーク１１における上端係止部１１ａ下面との当接面が四角い平面構造となっており、弁体８が流体流れ方向Ｄ下流側へ移動するためには、弁体８の前後において前記当接面の摩擦力以上の内部流体の圧力差が必要となるためである。又、特許文献１、２の仕切弁においても、図２〜図４に示す仕切弁と同様の問題がある。
【００１０】
本発明は、斯かる実情に鑑み、弁体により流路を略全閉にした際に、弁体の流体流れ方向上流側の内部流体の圧力上昇が緩やかで、弁体よりも流体流れ方向上流側と下流側とで内部流体の圧力差が小さい場合でも、弁体を確実に弁座に対し着座させ得るようにした仕切弁を提供することを目的としてなしたものである。
【課題を解決するための手段】
【００１１】
本発明の仕切弁は、弁体と弁棒の連結を、前記弁体の外周部に設けられて流体流れ方向へ延在する溝を有するヨークの当該溝内に前記弁棒に設けられた駒をを嵌入することにより行なうようにした仕切弁であって、前記弁体を弁棒に吊下げた際の前記ヨークの係止部と駒との当接面を流体流れ方向上流側から下流側に向けて下り勾配の傾斜面としたものである。
【発明の効果】
【００１２】
本発明の仕切弁によれば、弁体により流路を略全閉にした際に、弁体よりも流体流れ方向上流側における内部流体の圧力上昇が緩やで、弁体の流体流れ方向上流側と、流体流れ方向下流側とで内部流体の圧力差が小さい場合でも、弁体は、流体流れ方向上流側の流体圧力により押圧されて弁棒に設けた駒の傾斜面に対し流体流れ方向下流側へ移動し、その結果、弁体の被シール面は容易且つ確実に弁座に対し着座するため、弁体により流路を閉止した際に流体を確実に遮断することができて、全閉時における弁座漏れを防止することができ、仕切弁の信頼性が向上する、という優れた効果を奏し得る。
【発明を実施するための最良の形態】
【００１３】
以下、本発明の実施の形態を添付図面を参照して説明する。
図１は本発明を実施する形態の一例であって、仕切弁の基本的な構成は図２に示す従来のものと略同様である。
而して、本図示例においては、ヨーク１１の上端係止部１１ａにおける下面は、流体流れ方向Ｄ上流側から下流側へ向けて下り勾配に傾斜した傾斜面１１ａ’となっており、弁棒４の下端に設けられた駒１２の上面も、流体流れ方向Ｄ上流側から下流側へ向けて下り勾配に傾斜した傾斜面１２ａ’となっている。而して弁体８を弁棒４に吊下げた際には、弁体８のヨーク１１における上端係止部１１ａの傾斜面１１ａ’と弁棒４の駒１２の傾斜面１２ａ’とが当接するようになっている。
【００１４】
なお、図１では、ヨーク１１の弁体８側基部や、弁棒４の駒１２の下面も流体流れ方向Ｄ上流側から下流側に向けて下り勾配となっているが、この部分は水平であっても支障はない。
【００１５】
次に、上記した実施の形態の作動を図２をも参照しつつ説明する。
弁体８を閉止する際には、通常の場合は、モータ５を駆動することにより、又、モータ５が故障したような場合はハンドル６を操作して回転させることにより、歯車箱７内の歯車機構を介して弁棒４が下降し、このため、弁体８は流路２内に下降して、流路２が閉止される。
而して、本図示例においては、弁棒４の駒１２上面と弁体８のヨーク１１における上端係止部１１ａ下面との当接面は、流体流れ方向Ｄ上流側から下流側に向けて下り勾配の傾斜面１２ａ’，１１ａ’となっている。
【００１６】
このため、弁体８を弁棒４に吊下げ支持させた状態で、図２に示すように弁体８により流路２を略全閉にした際に、弁体８よりも流体流れ方向Ｄ上流側における流路２内の流体の圧力上昇が緩やかで、弁体８の流体流れ方向Ｄ上流側の高圧側１４の流路２と、流体流れ方向Ｄ下流側の低圧側１５の流路２との内部流体の圧力差が小さい場合でも、弁体８は流体流れ方向Ｄ上流側の流体圧力により押圧されて、弁棒４の駒１２の傾斜面１２ａ’に対し流体流れ方向Ｄ下流側へ移動し、弁体８の流体流れ方向Ｄ下流側の被シール面８ａは容易且つ確実に弁座１６に対し着座する。
【００１７】
このため、弁体８により流路２を閉止した際に流体を確実に遮断することができて、全閉時における弁座漏れを防止することができ、仕切弁の信頼性が向上する。
【００１８】
なお、本発明の仕切弁は、上記した実施の形態に限定されるものではなく、本発明の要旨を逸脱しない範囲内において種々変更を加え得ることは勿論である。
【図面の簡単な説明】
【００１９】
【図１】本発明の仕切弁における弁体と弁棒の連結部の拡大断面図である。
【図２】従来の仕切弁の断面図である。
【図３】図２の仕切弁における弁体と弁棒との連結部を含む弁体及び弁棒下部の斜視図である。
【図４】図３のＩＶ部矢視図で、弁体と弁棒の連結部の拡大断面図である。
【符号の説明】
【００２０】
２  流路
４  弁棒
８  弁体
８ａ        被シール面
１０  溝
１１  ヨーク
１１ａ        上端係止部（係止部）
１１ａ’      傾斜面
１２  駒
１２ａ’      傾斜面
Ｄ  流体流れ方向
【図１】
2007270905.tif 000003
【図２】
2007270905.tif 000004
【図３】
2007270905.tif 000005
【図４】
2007270905.tif 000006